(57)【要約】【課題】載置部に用紙をセットする場合などにおいて、フィードローラとリバースローラとのニップ部に複数枚の用紙が入り込んでしまっても、ニップ部から複数枚の用紙が連なって給送されてしまう不具合が生じにくい、給紙装置、及び、画像形成装置を提供する。【解決手段】用紙の給送方向に沿うように回転して用紙を搬送するフィードローラ５３と、載置部５１に載置された用紙Ｐをフィードローラ５３の位置まで搬送するとともに退避位置に移動可能に形成されたピックアップローラ５４と、フィードローラ５３との間にニップ部を形成するとともにニップ部において用紙Ｐを挟持した状態で用紙Ｐの給送方向に対して逆方向に沿うように回転するリバースローラ５５と、が設置されている。そして、フィードローラ５３の回転が開始される前に、リバースローラ５５が所定時間だけ回転するように制御する。【選択図】図２
2014101193.tif 000002
【特許請求の範囲】
【請求項１】
用紙を給送する給紙装置であって、
載置部に載置された用紙に対して給送方向先端側に設置されて、用紙の給送方向に沿うように回転して用紙を搬送するフィードローラと、
前記載置部に載置された用紙の表面に当接した状態で回転して当該用紙を前記フィードローラの位置まで搬送するとともに、前記載置部に載置された用紙に対して当接しない退避位置に移動可能に形成されたピックアップローラと、
前記フィードローラとの間にニップ部を形成するとともに、前記フィードローラの回転に沿って前記ニップ部から１枚の用紙が給送方向に給送されるように、前記ニップ部において用紙を挟持した状態で用紙の給送方向に対して逆方向に沿うように回転するリバースローラと、
を備え、
前記フィードローラの回転が開始される前に、前記リバースローラが前記逆方向に沿うように所定時間だけ回転することを特徴とする給紙装置。
【請求項２】
前記リバースローラが前記逆方向に沿うように前記所定時間だけ回転しているとき、前記ピックアップローラは前記退避位置に移動していることを特徴とする請求項１に記載の給紙装置。
【請求項３】
前記載置部に用紙が載置された後であって、前記フィードローラの回転が開始される前に、前記リバースローラが前記逆方向に沿うように前記所定時間だけ回転することを特徴とする請求項１又は請求項２に記載の給紙装置。
【請求項４】
前記リバースローラが前記逆方向に沿うように前記所定時間だけ回転した後に、前記ピックアップローラが前記退避位置から前記載置部に載置された用紙の表面に当接する位置に移動して当該用紙を前記フィードローラの位置まで搬送することを特徴とする請求項１〜請求項３のいずれかに記載の給紙装置。
【請求項５】
前記リバースローラが前記逆方向に沿うように前記所定時間だけ回転した後に、その回転が停止されることなく連続的に前記リバースローラが前記逆方向に沿うように回転するとともに、前記フィードローラの回転が開始されることを特徴とする請求項１〜請求項４のいずれかに記載の給紙装置。
【請求項６】
前記所定時間を任意に可変できるように構成したことを特徴とする請求項１〜請求項５のいずれかに記載の給紙装置。
【請求項７】
前記載置部に載置される用紙の種類に応じて、前記所定時間が可変されることを特徴とする請求項１〜請求項６のいずれかに記載の給紙装置。
【請求項８】
前記フィードローラが用紙の給送方向に対して逆方向に沿って回転しないように規制する規制手段を備えたことを特徴とする請求項１〜請求項７のいずれかに記載の給紙装置。
【請求項９】
請求項１〜請求項８のいずれかに記載の給紙装置を備えたことを特徴とする画像形成装置。
【発明の詳細な説明】
【技術分野】
【０００１】
この発明は、転写紙等の用紙を給送する給紙装置と、それを備えた複写機、プリンタ、ファクシミリ、又は、それらの複合機や印刷機等の画像形成装置と、に関するものである。
【背景技術】
【０００２】
従来から、複写機やプリンタや印刷機等の画像形成装置において、転写紙等の用紙が給送される給紙装置に、フィードローラとピックアップローラとリバースローラとを具備した給紙機構を設置する技術が知られている（例えば、特許文献１、２参照。）。
【０００３】
詳しくは、特許文献１、２等における給紙装置の給紙機構には、フィードローラ（給紙ローラ）、ピックアップローラ、リバースローラ（分離ローラ、セパレーションローラ）が設置されている。
そして、載置部（給紙部、用紙トレイ）に載置された用紙の表面に当接した状態で回転するピックアップローラによって、載置部に載置された最上方の用紙が、給送方向先端側に設置されたフィードローラとリバースローラとのニップ部に向けて搬送される。そして、ニップ部の位置に達した用紙は、２枚の用紙が重なった状態であっても、用紙の給送方向に沿うように回転するフィードローラと、ニップ部において用紙を挟持した状態で用紙の給送方向に対して逆方向に沿うように回転するリバースローラと、によって、フィードローラの回転に沿ってニップ部から１枚の用紙のみが分離されて給送方向に給送されることになる。
【発明の概要】
【発明が解決しようとする課題】
【０００４】
従来の給紙装置は、ユーザーが載置部に用紙の束をセットするときに、フィードローラとリバースローラとのニップ部に複数枚の用紙が入り込むように用紙束を押し込んでセットしてしまうことがあった。特に、このような不具合は、ニップ部に過大な用紙の束が突入しないように規制する押え機構（例えば、押えフィラーと、用紙トレイ先端フェンス上端部における傾斜部と、を備えたもので、特許文献２等を参照できる。）が設置されていない装置などでは無視できないものになっていた。
そして、このようにニップ部に複数枚の用紙が入り込んだ状態で給紙機構が動作してしまうと、ニップ部から複数枚の用紙が連なって給送（重送）されてしまう不具合が生じてしまうことがあった。
【０００５】
また、このような問題は、ユーザーが載置部に用紙をセットするときに限らず、載置部における用紙の枚数に応じて用紙の載置面を自動で昇降させる給紙装置において、載置面の昇降時にも生じていた。すなわち、載置面の昇降時にニップ部に対する用紙の姿勢が変化して、ニップ部に複数枚の用紙が入り込んでしまうことがあった。
【０００６】
この発明は、上述のような課題を解決するためになされたもので、載置部に用紙をセットする場合などにおいて、フィードローラとリバースローラとのニップ部に複数枚の用紙が入り込んでしまっても、ニップ部から複数枚の用紙が連なって給送されてしまう不具合が生じにくい、給紙装置、及び、画像形成装置を提供することにある。
【課題を解決するための手段】
【０００７】
この発明の請求項１記載の発明にかかる給紙装置は、用紙を給送する給紙装置であって、載置部に載置された用紙に対して給送方向先端側に設置されて、用紙の給送方向に沿うように回転して用紙を搬送するフィードローラと、前記載置部に載置された用紙の表面に当接した状態で回転して当該用紙を前記フィードローラの位置まで搬送するとともに、前記載置部に載置された用紙に対して当接しない退避位置に移動可能に形成されたピックアップローラと、前記フィードローラとの間にニップ部を形成するとともに、前記フィードローラの回転に沿って前記ニップ部から１枚の用紙が給送方向に給送されるように、前記ニップ部において用紙を挟持した状態で用紙の給送方向に対して逆方向に沿うように回転するリバースローラと、を備え、前記フィードローラの回転が開始される前に、前記リバースローラが前記逆方向に沿うように所定時間だけ回転するものである。
【発明の効果】
【０００８】
本発明は、フィードローラの回転が開始される前にリバースローラを回転させているため、載置部に用紙をセットする場合などにおいて、フィードローラとリバースローラとのニップ部に複数枚の用紙が入り込んでしまっても、ニップ部から複数枚の用紙が連なって給送されてしまう不具合が生じにくい、給紙装置、及び、画像形成装置を提供することができる。
【図面の簡単な説明】
【０００９】
【図１】この発明の実施の形態における画像形成装置を示す全体構成図である。
【図２】給紙装置を示す概略図である。
【図３】給紙装置の動作を示す図である。
【発明を実施するための形態】
【００１０】
実施の形態．
以下、この発明を実施するための形態について、図面を参照して詳細に説明する。なお、各図中、同一又は相当する部分には同一の符号を付しており、その重複説明は適宜に簡略化ないし省略する。
【００１１】
まず、図１にて、画像形成装置全体の構成・動作について説明する。
図１において、１は画像形成装置としての複写機の装置本体（画像形成装置本体）、２は原稿Ｄの画像情報を光学的に読み込む原稿読込部、３は原稿読込部２で読み込んだ画像情報に基いた露光光Ｌを感光体ドラム５上に照射する露光部、４は感光体ドラム５上にトナー像（画像）を形成する作像部、７は感光体ドラム５上に形成されたトナー像を用紙Ｐ（シート）に転写する転写部（画像形成部）、１０はセットされた原稿Ｄを原稿読込部２に搬送する原稿搬送部（自動原稿搬送装置）、１２〜１５は転写紙等の用紙Ｐが収納された給紙カセット（給紙装置）、１６はユーザーが手差しでセットした用紙Ｐを給送する給紙装置（手差し給紙部）、１７は転写部７に向けて用紙Ｐを搬送するレジストローラ（タイミングローラ）、２０は用紙Ｐ上に担持されたトナー像（未定着画像）を定着する定着装置、２１は定着装置２０に設置された定着ローラ、２２は定着装置２０に設置された加圧ローラ、３１は装置本体１から排紙された用紙Ｐが積載される排紙トレイ、４２〜４５は各給紙カセット１２〜１５において昇降可能に構成された載置板（載置面）、５２は各給紙装置１２〜１６に設置された給紙機構、を示す。
【００１２】
図１を参照して、画像形成装置本体１における、通常の画像形成時の動作について説明する。
まず、原稿Ｄは、原稿搬送部１０の搬送ローラによって、原稿台から図中の矢印方向に搬送（給送）されて、原稿読込部２上を通過する。このとき、原稿読込部２では、上方を通過する原稿Ｄの画像情報が光学的に読み取られる。
そして、原稿読込部２で読み取られた光学的な画像情報は、電気信号に変換された後に、露光部３（書込部）に送信される。そして、露光部３からは、その電気信号の画像情報に基づいたレーザ光等の露光光Ｌが、作像部４の感光体ドラム５上に向けて発せられる。
【００１３】
一方、作像部４において、感光体ドラム５は図中の時計方向に回転しており、所定の作像プロセス（帯電工程、露光工程、現像工程）を経て、感光体ドラム５上に画像情報に対応した画像（トナー像）が形成される。
その後、感光体ドラム５上に形成された画像は、画像形成部としての転写部７で、レジストローラ１７により搬送された用紙Ｐ上に転写される。
【００１４】
一方、転写部７（画像形成部）に搬送される用紙Ｐは、次のように動作する。
まず、画像形成装置本体１の複数の給紙カセット１２〜１５のうち、１つの給紙カセットが自動又は手動で選択される（例えば、最上段の給紙カセット１２が選択されたものとする。）。そして、給紙カセット１２に収納された用紙Ｐの最上方の１枚が、給紙機構５２によって給送されて、搬送経路Ｋに向けて搬送される。その後、用紙Ｐは、複数の搬送ローラが配設された搬送経路Ｋを通過して、レジストローラ１７の位置に達する。
なお、装置本体１の側方に設置された給紙装置１６（手差し給紙部）が選択された場合には、ユーザーによって給紙装置１６の載置部５１（図２を参照できる。）に載置された用紙Ｐ（複数枚の用紙Ｐが積載された場合には、最上方の用紙Ｐ）が、給紙機構５２（給送手段）によって搬送経路に向けて給送されて、レジストローラ１７の位置に達することになる。
【００１５】
レジストローラ１７の位置に達した用紙Ｐは、感光体ドラム５上に形成された画像と位置合わせをするためにタイミングを合わせて、転写部７（画像形成部）に向けて搬送される。
そして、転写工程後の用紙Ｐは、転写部７の位置を通過した後に、搬送経路を経て定着装置２０に達する。定着装置２０に達した用紙Ｐは、定着ローラ２１と加圧ローラ２２との間に送入されて、定着ローラ２１から受ける熱と双方の部材２１、２２から受ける圧力とによってトナー像が定着される（定着工程である）。トナー像が定着された定着工程後の用紙Ｐは、定着ローラ２１と加圧ローラ２２との間（定着ニップである。）から送出された後に、画像形成装置本体１から排出されて、出力画像として排紙トレイ３１上に積載されることになる。
こうして、一連の画像形成プロセスが完了する。
【００１６】
次に、図２及び図３にて、本実施の形態において特徴的な給紙装置１６について詳述する。
図２及び図３を参照して、給紙装置１６には、用紙Ｐが載置される載置部５１（ベース部）、載置部５１に載置された用紙Ｐを給送するための給紙機構５２、給紙機構５２によって給送される用紙Ｐの先端（給送方向の先端である。）を検知する紙検知センサ６０、載置部５１に用紙Ｐが載置された状態を検知するセット検知センサ（不図示である。）、等が設置されている。
また、給紙機構５２は、フィードローラ５３、ピックアップローラ５４、バックアップローラ５４、駆動モータ７１、電磁クラッチ７２、移動機構７３、等で構成されている
【００１７】
フィードローラ５３は、載置部５１に載置された用紙Ｐに対して給送方向先端側に設置されていて、用紙Ｐの上面に接触して用紙Ｐの給送方向に沿うように回転（図２の時計方向の回転である。）して用紙を搬送するものである。フィードローラ５３は、その軸部が、電磁クラッチ７２（フィードローラ５３の駆動状態と駆動停止状態とを切り替える切替手段である。）を介して、駆動モータ７１に接続されている。そして、フィードローラ５３は、駆動ローラ７１と電磁クラッチ７２とがいずれもオンされた状態で、回転駆動されることになる。
【００１８】
ピックアップローラ５４は、載置部５１に載置された用紙Ｐの表面（上面）に当接した状態で回転して、その用紙Ｐをフィードローラ５３の位置まで搬送するものである。ピックアップローラ５４は、その軸部とフィードローラ５３の軸部との間にタイミングベルト５８が巻装されていて、フィードローラ５３とともに図２の矢印方向に回転するように構成されている。
また、ピックアップローラ５４は、載置部５１に載置された用紙Ｐに対して当接しない退避位置に移動可能に形成されている。詳しくは、ピックアップローラ５４は、移動機構７３によって、フィードローラ５３の軸部を回動中心にして図２の両矢印方向（上下方向）に用紙Ｐに対して接離可能に移動（回動）できるように構成されている。なお、本実施の形態において、移動機構７３は、ピックアップローラ５４が退避位置に移動するように付勢するスプリング（付勢部材）や、ピックアップローラ５４をスプリングの付勢力に抗するように載置部５１に載置された用紙Ｐに向けて押動するカム部材、等で構成されている。
【００１９】
リバースローラ５５は、フィードローラ５３との間にニップ部を形成するように設置されている。そして、リバースローラ５５は、フィードローラ５３の回転に沿ってニップ部から１枚の用紙Ｐが給送方向に給送されるように、ニップ部において用紙Ｐを挟持した状態で用紙Ｐの給送方向に対して逆方向に沿うように回転する（図２の時計方向の回転である）。
詳しくは、リバースローラ５５は、その軸部が、不図示のギア列を介して駆動モータ７１に接続されている。さらに、リバースローラ５５の軸部にはトルクリミッタ（不図示である。）が設置されていて、リバースローラ５５に所定値を超える回転負荷がかかるとリバースローラ５５が空転するように構成されている。このような構成により、フィードローラ５３とリバースローラ５５とのニップ部から用紙Ｐが重送されることなく、１枚の用紙Ｐが給送方向（搬送方向）に送出されることになる。
【００２０】
なお、本実施の形態において、フィードローラ５３とピックアップローラ５４とリバースローラ５５とは、それぞれ、軸部上にゴム材料（又は、樹脂材料）で形成されたローラ部（コロ部）が、軸方向に複数分割して形成されたものである。また、フィードローラ５３とピックアップローラ５４とリバースローラ５５とは、それぞれ、軸部に対してローラ部が着脱可能（交換可能）に形成されていて、ローラ部のメンテナンスを容易にできるようになっている。
【００２１】
ここで、本実施の形態における給紙装置１６（給紙機構５２）は、フィードローラ５３の回転が開始される前に、リバースローラ５５が逆方向（給紙方向に対する逆方向である。）に沿って所定時間だけ回転するように制御される。
このような制御をおこなうことにより、ユーザーが載置部５１に複数枚の用紙Ｐの束をセットするときに、フィードローラ５３とリバースローラ５５とのニップ部に複数枚の用紙Ｐが入り込むようにセットしてしまっても、給紙動作前に、フィードローラ５３（及び、ピックアップローラ５５）が回転停止した状態でリバースローラ５５が図２の時計方向に回転してニップ部に入り込んだ用紙Ｐをニップ部から載置部３５１側に搬送するので、ニップ部から複数枚の用紙Ｐが連なって給送されてしまう不具合を軽減することができる。
【００２２】
詳しくは、載置部５１に用紙Ｐが載置された後であって、フィードローラ５３の回転が開始される前に、リバースローラ５５が逆方向に沿うように所定時間だけ回転する。また、このようにリバースローラ５５が逆方向に沿うように所定時間だけ回転しているとき、ピックアップローラ５４は退避位置（用紙Ｐに当接しない上方の位置である。）に移動している。そして、リバースローラ５５が逆方向に沿うように所定時間だけ回転した後に、ピックアップローラ５４が退避位置から当接位置（載置部５１に載置された用紙Ｐの表面に当接する位置である。）に移動して、その回転により用紙Ｐをフィードローラ５３の位置まで搬送する。
特に、本実施の形態では、リバースローラ５５が逆方向に沿うように所定時間だけ回転した後に、その回転が停止されることなく連続的にリバースローラ５５が逆方向に沿うように回転するとともに、フィードローラ５３の回転（給紙動作）が開始される。換言すると、フィードローラ５３（及び、ピックアップローラ５４）の回転が開始されるときよりも所定時間だけ前に、リバースローラ５５を回転開始している。また、リバースローラ５５の回転は、フィードローラ５３（及び、ピックアップローラ５４）の回転開始の前後において、回転停止することなく、連続的におこなわれる。
【００２３】
以下、図３にて、上述したように制御される給紙装置１６の動作について説明する。
まず、図３（Ａ）に示すように、ピックアップローラ５４が退避位置に移動した状態の給紙装置１６の載置部５１に複数枚の用紙Ｐの束がセットされると、載置部５１に設置されたセット検知センサ（不図示である。）によってその状態が検知される。なお、このとき、ユーザーによって、フィードローラ５３とリバースローラ５５とのニップ部に複数枚の用紙Ｐが入り込むようにセットされてしまったものとする。
【００２４】
その後、図３（Ｂ）に示すように、セット検知センサによって載置部５１に用紙Ｐが載置された状態が検知されると、リバースローラ５５が図の時計方向に回転開始する。このとき、フィードローラ５３とピックアップローラ５４（退避位置に移動した状態である。）とは、回転停止した状態である。具体的に、制御部７０によって、電磁クラッチ７２がオフされた状態（駆動モータ７１による駆動力がフィードローラ５３に伝達されるのが遮断された状態である。）で、駆動モータ７１が稼働されて、リバースローラ５５の回転が開始される。これにより、フィードローラ５３とリバースローラ５５とのニップ部に入り込んだ用紙Ｐが、ニップ部から図３（Ｂ）の白矢印方向に送出されることになる（載置部５１の側に搬送されることになる）。
【００２５】
その後、リバースローラ５５のみの回転が所定時間おこなわれた後に、図３（Ｃ）に示すように、ピックアップローラ５４が当接位置に移動するとともに、リバースローラ５５の回転に加えてフィードローラ５３とピックアップローラ５４との回転が開始される。具体的に、制御部７０によって、電磁クラッチ７２がオンされた状態（駆動モータ７１による駆動力がフィードローラ５３に伝達される状態である。）で、駆動モータ７１が稼働されて、リバースローラ５５の回転に加えてフィードローラ５３とピックアップローラ５４との回転が開始される。これにより、ピックアップローラ５４によって載置部５１に載置された用紙束のうち最上方の用紙Ｐが、フィードローラ５３とリバースローラ５５とのニップ部に向けて搬送されて、さらにそのニップ部から１枚の用紙Ｐが画像形成部に向けて分離され搬送されることになる。なお、このとき、紙検知センサ６０によって、ニップ部から送出された用紙Ｐの先端が検知されて、その検知タイミングに基いて、その後の画像形成プロセスの制御がおこなわれることになる。
【００２６】
ここで、本実施の形態では、載置部５１への用紙Ｐのセット後にリバースローラ５５のみが回転する時間（所定時間）を任意に可変できるように構成している。
詳しくは、図２を参照して、装置本体１の外装部に設置された操作パネル７７（操作手段）をユーザーが操作することにより、載置部５１への用紙Ｐのセット後にリバースローラ５５のみが回転する時間（所定時間）を任意に可変できる。すなわち、操作パネル７７の操作によって、載置部５１への用紙Ｐのセット後に、電磁クラッチ７２がオフ状態からオン状態に切り替えられるタイミングを調整できる。
これにより、ユーザーが使用する用紙Ｐの種類が、重送が生じやすいもの（例えば、薄紙などである。）であるときにはリバースローラ５５のみが回転する時間（所定時間）を長めに調整したり、重送が生じにくいもの（例えば、厚紙などである。）であるときにはリバースローラ５５のみが回転する時間（所定時間）を短めに調整したりして、上述した本発明の効果が効率的に発揮されるようにすることができる。また、用紙Ｐのセット時においてニップ部に用紙Ｐを入り込ませてセットする傾向が特に強いユーザーに対応して、リバースローラ５５のみが回転する時間（所定時間）を長めに調整するようなこともできる。
【００２７】
また、本実施の形態では、図２を参照して、載置部５１に載置される用紙Ｐの種類に応じて、載置部５１への用紙Ｐのセット後にリバースローラ５５のみが回転する時間（所定時間）が可変されるように構成している。
詳しくは、図２を参照して、載置部５１に設置された紙厚センサ７８（用紙Ｐの厚さを光学的に検知するものであって、公知のものを用いることができる。）の検知結果に基いて、載置部５１への用紙Ｐのセット後にリバースローラ５５のみが回転する時間（所定時間）が制御部７０によって自動的に調整される。具体的に、載置部５１にセットされた用紙Ｐが、重送が生じやすい薄紙である場合にはリバースローラ５５のみが回転する時間（所定時間）が長めに調整されて、重送が生じにくい厚紙である場合にはリバースローラ５５のみが回転する時間（所定時間）が短めに調整される。これにより、上述した本発明の効果が効率的に発揮されることになる。
【００２８】
また、本実施の形態における給紙装置１６において、フィードローラ５３が用紙Ｐの給送方向に対して逆方向に沿って回転しないように規制する規制手段としてのワンウェイクラッチを設置することもできる。具体的に、フィードローラ５３において電磁クラッチ７２が設置された軸部にワンウェイクラッチ（規制手段）を設置する。
これにより、フィードローラ５３は、図２の反時計方向に回転することなく、図２の時計方向にのみ回転することになる。そのため、フィードローラ５３に逆方向に回転させるような負荷が生じるような場合であっても、フィードローラ５３とリバースローラ５５との回転によってニップ部から１枚の用紙Ｐのみを分離して搬送させる搬送機能が確実に発揮されるとともに、そのときの搬送負荷を低減することができる。
【００２９】
以上説明したように、本実施の形態においては、フィードローラ５３の回転が開始される前にリバースローラ５５を回転させているため、載置部５１に用紙Ｐをセットする場合において、フィードローラ５３とリバースローラ５５とのニップ部に複数枚の用紙Ｐが入り込んでしまっても、ニップ部から複数枚の用紙Ｐが連なって給送されてしまう不具合を生じにくくすることができる。
【００３０】
なお、本実施の形態では、モノクロの画像形成装置１に設置される給紙装置１６に対して本発明を適用したが、カラーの画像形成装置に設置される給紙装置に対しても当然に本発明を適用することができる。
また、本実施の形態では、電子写真方式の画像形成装置１に設置される給紙装置１６に対して本発明を適用したが、本発明の適用はこれに限定されることなく、その他の方式の画像形成装置（例えば、インクジェット方式の画像形成装置や、孔版印刷機などである。）に設置される給紙装置に対しても本発明を適用することができる。
そして、それらの場合であっても、本実施の形態と同様の効果を得ることができる。
【００３１】
また、本実施の形態では、画像形成装置１における給紙装置としての手差し給紙部１６に対して本発明を適用したが、給紙装置としての給紙カセット１２〜１５に対しても当然に本発明を適用することができるし、給紙装置としての原稿搬送部１０（自動原稿搬送装置）に対しても当然に本発明を適用することができる。特に、本実施の形態における給紙カセット１２〜１５は、載置部における用紙Ｐの枚数（残枚数）に応じて載置板４２〜４５（載置面）を自動で昇降させていて、その載置板４２〜４５（載置面）の昇降時にニップ部に対する用紙Ｐの姿勢が変化して、ニップ部に複数枚の用紙Ｐが入り込んでしまう不具合が生じてしまうことがあるため、これらの給紙カセット１２〜１５（給紙装置）に対して本発明を適用することが有用になる。すなわち、給紙カセット１２〜１５の給紙機構５２において、載置板４２〜４５（載置面）の昇降がおこなわれた後であって、フィードローラ５３の回転が開始される前に、本実施の形態と同様に、リバースローラ５５を所定時間だけ回転させることで、ニップ部からの重送を確実に軽減することができる。
【００３２】
また、本実施の形態では、リバースローラ５５の回転を、フィードローラ５３（及び、ピックアップローラ５４）の回転開始の前後において、回転停止することなく、連続的におこなっている。これに対して、用紙Ｐのセット後にリバースローラ５５を所定時間だけ回転させた後に、フィードローラ５３及びピックアップローラ５５の回転開始まで、リバースローラ５５の回転を一時的に停止させてから、フィードローラ５３及びピックアップローラ５５の回転開始とともにリバースローラ５５の回転を再開させてもよい。
そして、その場合であっても、本実施の形態と同様の効果を得ることができる。
【００３３】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【００３４】
なお、本願において、「用紙」とは、転写紙の他にＯＨＰ等のシート状の記録媒体のすべてを含み、さらには給紙装置としての自動原稿搬送装置において給送される原稿をも含むものと定義する。
【符号の説明】
【００３５】
１  画像形成装置本体（装置本体）、
１６  給紙装置、
５１  載置部、
５２  給紙機構、
５３  フィードローラ、
５４  ピックアップローラ、
５５  リバースローラ、
６０  紙検知センサ、
Ｐ  用紙。
【先行技術文献】
【特許文献】
【００３６】
【特許文献１】特開２０１１−２３６０５４号公報
【特許文献２】特開平７−３１５６０８号公報
【図１】
2014101193.tif 000003
【図２】
2014101193.tif 000004
【図３】
2014101193.tif 000005